【手続補正書】
【提出日】平成17年5月16日(2005.5.16)
【手続補正１】
【補正対象書類名】明細書
【補正対象項目名】特許請求の範囲
【補正方法】変更
【補正の内容】
【特許請求の範囲】
【請求項１】
くつ下編機によって筒編して得たくつ下であって、爪先部の小指側において編み目数を減少させて編み立てるときに親指側において編み目数の減少と増加を繰り返すと共に、爪先部の小指側において編み目数を増加させて編み立てるときに親指側において編み目数の減少と増加を繰り返すことにより爪先部の小指側よりも親指側の厚みが増加する厚み増加用編立部分を形成し、前記厚み増加用編立部分を形成する親指側の端縁の内、編み目数が増加する端縁と、それに連続して編み目数が減少する端縁が実質的にＶ字状をなしていることを特徴とするくつ下。
【請求項２】
くつ下の爪先部に編み込まれた厚み増加用編立部分が、爪先部の先端部及び親指側の側面部を形成する請求項１記載のくつ下。
【請求項３】
前記Ｖ字状の途中が、前記厚み増加用編立部分の面積を拡大する方向に曲折されている請求項１、もしくは請求項２に記載のくつ下。
【請求項４】
くつ下編機によって筒編されるくつ下の製造方法であり、爪先部の小指側において編み目数を減少させて編み立てるときに親指側において編み目数の減少と増加を繰り返すと共に、爪先部の小指側において編み目数を増加させて編み立てるときに親指側において編み目数の減少と増加を繰り返すことにより爪先部の小指側よりも親指側の厚みが増加する厚み増加用編立部分を形成する工程と、前記厚み増加用編立部分を形成する親指側の端縁の内、編み目数が増加する端縁と、それに連続して編み目数が減少する端縁が実質的にＶ字状をなすように編み立てる工程を含むくつ下の製造方法。
【請求項５】
くつ下編機によって筒編して得たくつ下が、その爪先部が親指部と他の指部とに分割されて成る足袋様のくつ下であって、前記親指部の両側において編み目数の減少と増加を繰り返して編み立てることにより親指部の厚み増加用編立部分を形成し、前記他の指部の小指側において編み目数を減少させて編み立てるときに親指側において編み目数の減少と増加を繰り返すと共に、爪先部の小指側において編み目数を増加させて編み立てるときに親指側において編み目数の減少と増加を繰り返すことにより爪先部の小指側よりも親指側の厚みが増加する他の指部の厚み増加用編立部分を形成し、前記親指部の厚み増加用編立部分を形成する端縁が実質的にＶ字状をなし、前記他の指部の厚み増加用編立部分を形成する親指側の端縁の内、編み目数が増加する端縁と、それに連続して編み目数が減少する端縁が実質的にＶ字状をなしていることを特徴とするくつ下。
【請求項６】
前記爪先部の親指部の両側面の各々から見た、前記親指部の厚み増加用編立部分の端縁がＶ字状に形成されていることを特徴とする請求項５に記載のくつ下。
【請求項７】
前記爪先部の親指部に編み込まれた厚み増加用編立部分によって、親指部の先端部及び両側面部が形成され、且つ爪先部の他の指部に編み込まれた前記他の指部の厚み増加用編立部分によって、他の指部の先端部及び分割部側の側面部が形成されている請求項５、もしくは請求項６に記載のくつ下。
【請求項８】
くつ下編機によって筒編され、爪先部が親指部と他の指部とに分割されて成る足袋様のくつ下の製造方法であり、前記親指部の両側において編み目数の減少と増加を繰り返して編み立てることにより親指部の厚み増加用編立部分を形成し、前記他の指部の小指側において編み目数を減少させて編み立てるときに親指側において編み目数の減少と増加を繰り返すと共に、爪先部の小指側において編み目数を増加させて編み立てるときに親指側において編み目数の減少と増加を繰り返すことにより爪先部の小指側よりも親指側の厚みが増加する他の指部の厚み増加用編立部分を形成する工程と、前記親指部の厚み増加用編立部分を形成する端縁が実質的にＶ字状をなすように編み立てる工程と、前記他の指部の厚み増加用編立部分を形成する親指側の端縁の内、編み目数が増加する端縁と、それに連続して編み目数が減少する端縁が実質的にＶ字状をなすように編み立てる工程を含むくつ下の製造方法。
【手続補正２】
【補正対象書類名】明細書
【補正対象項目名】０００７
【補正方法】変更
【補正の内容】
【０００７】
【課題を解決するための手段】
本発明者等は前記課題を解決すべく検討を重ねた結果、親指が他の指よりも太い人の足の形状に、くつ下の爪先部の形状が近似するように、くつ下を履いたとき、親指が挿入される爪先部の親指側に、厚みが増加する厚み増加用編立部分を偏って編み込むことによって、親指に対する圧迫感を緩和できることを知り、本発明に到達した。
すなわち、本発明は、くつ下編機によって筒編して得たくつ下であって、爪先部の小指側において編み目数を減少させて編み立てるときに親指側において編み目数の減少と増加を繰り返すと共に、爪先部の小指側において編み目数を増加させて編み立てるときに親指側において編み目数の減少と増加を繰り返すことにより爪先部の小指側よりも親指側の厚みが増加する厚み増加用編立部分を形成し、前記厚み増加用編立部分を形成する親指側の端縁の内、編み目数が増加する端縁と、それに連続して編み目数が減少する端縁が実質的にＶ字状をなしていることを特徴とする。
厚み増加用編立部分の端縁は厚み増加用編立部分を爪先部の親指側の側面から見たとき、実質的にＶ字状に形成され、Ｖ字状の形成によって厚み増加用編立部分を容易に形成できる。
かかる本発明において、くつ下の爪先部に編み込まれた厚み増加用編立部分によって、爪先部の先端部及び親指側の側面部を形成することにより、くつ下を履いたとき、親指に対する圧迫感を更に緩和できる。
更に、前記Ｖ字状の途中を、厚み増加用編立部分の面積を拡大する方向に曲折することによって、くつ下の爪先部の最先端位置を変更することなく厚み増加用編立部分の面積を拡大できる。
【手続補正３】
【補正対象書類名】明細書
【補正対象項目名】０００８
【補正方法】変更
【補正の内容】
【０００８】
また、本発明は、くつ下編機によって筒編して得たくつ下が、その爪先部が親指部と他の指部とに分割されて成る足袋様のくつ下であって、前記親指部の両側において編み目数の減少と増加を繰り返して編み立てることにより親指部の厚み増加用編立部分を形成し、前記他の指部の小指側において編み目数を減少させて編み立てるときに親指側において編み目数の減少と増加を繰り返すと共に、爪先部の小指側において編み目数を増加させて編み立てるときに親指側において編み目数の減少と増加を繰り返すことにより爪先部の小指側よりも親指側の厚みが増加する他の指部の厚み増加用編立部分を形成し、前記親指部の厚み増加用編立部分を形成する端縁が実質的にＶ字状をなし、前記他の指部の厚み増加用編立部分を形成する親指側の端縁の内、編み目数が増加する端縁と、それに連続して編み目数が減少する端縁が実質的にＶ字状をなしていることを特徴とする。
他の指部の分割部側の側面から見た厚み増加用編立部分の端縁をＶ字状とし、且つ爪先部の親指部の両側面の各々から見た厚み増加用編立部分の端縁をもＶ字状とすることによって、厚み増加用編立部分を親指部及び他の指部に容易に編み込むことができる。
かかる本発明に係る足袋様のくつ下において、爪先部の親指部に編み込んだ厚み増加用編立部分によって、親指部の先端部及び両側面部を形成し、爪先部の他の指部に編み込んだ厚み増加用編立部分によって、他の指部の先端部及び分割部側の側面部を形成することにより、足袋様のくつ下を履いたとき、親指や他の指に対する圧迫感を更に緩和できる。